(57)【特許請求の範囲】
【請求項１】
複数の通話端末間の通話を制御する通話制御装置に接続されたファイル共有システムであって、
前記通話制御装置から、通話端末間の通話を検出し、通話中の双方の通話者を特定するための情報を通話ごとに取得して、通話状態データとして記録部に記録する通話状態監視部と、
前記通話状態データで特定される双方の通話者が共有するためのファイル共有空間を、複数のデータ通信端末からアクセスされうる記録媒体上に生成し、生成した前記ファイル共有空間を識別する情報と、前記双方の通話者を特定する情報とを対応させて関連付けデータとして前記記録部へ記録する共有空間生成部と、
ファイル共有空間に対するデータ通信端末からのアクセスのうち、前記関連付けデータが示す当該ファイル共有空間に対応する双方の通話者によるデータ通信端末からのアクセスを可能にするアクセス制御部とを備え、
前記共有空間生成部は、前記データ通信端末からユーザを特定するユーザ情報を取得し、当該ユーザ情報と前記通話状態データに記録された通話中の通話者を特定する情報とを比較して、前記ユーザと前記通話中の前記通話者が同じであると判断した場合に、ファイル共有空間を生成する、ファイル共有システム。
【請求項２】
前記通話状態監視部は、通話端末間の通話の開始を検出することによって、通話中の通話者を識別する情報を通話ごとに取得して、通話状態データとして前記記録部に記録し、
前記共有空間生成部は、前記通話の開始が検出された時に、前記ファイル共有空間を生成する請求項１に記載のファイル共有システム。
【請求項３】
前記通話状態監視部は、通話中の通話端末から送信される信号であって、ファイル共有空間生成を指示する信号をさらに検出し、
前記共有空間生成部は、前記通話状態監視部が前記信号を検出した後に、前記ファイル共有空間を生成する請求項１に記載のファイル共有システム。
【請求項４】
前記通話状態監視部は、通話の終了をさらに検出し、
前記通話状態監視部が終了を検出した通話における通話者に対応するファイル共有空間を識別する情報を前記関連付けデータから取得し、前記検出の直後または一定時間経過後に、前記情報が示す前記ファイル共有空間を削除する共有空間削除部をさらに備える請求項１に記載のファイル共有システム。
【請求項５】
前記通話状態監視部は、通話の終了をさらに検出し、
前記アクセス制御部は、前記通話状態監視部が終了を検出した通話における通話者のファイル共有空間を識別する情報を前記関連付けデータから取得し、前記通話の終了直後または一定時間経過後から前記情報が示すファイル空間へのデータ通信端末からのアクセスを禁止する請求項１に記載のファイル共有システム。
【請求項６】
前記アクセス制御部は、データ通信端末からのアクセスを禁止したファイル共有空間について、前記関連付けデータにより前記ファイル共有空間に対応付けられた双方の通話者による通話が通話状態監視部で検出された場合、前記ファイル共有空間への双方の通話者によるデータ通信端末からのアクセスを許可する請求項６に記載のファイル共有システム。
【請求項７】
前記ファイル共有空間が生成される記憶媒体は、予め決められたファイル共有サーバの記録部であり、
データ通信端末から前記ファイル共有サーバへアクセスがあった場合に、前記データ通信端末からユーザを特定するユーザ情報を取得し、前記関連付けデータから前記ユーザの過去の通話における相手の通話者を特定するデータまたは過去の通話で生成されたファイル共有空間におけるデータを取得して、前記相手の通話者に関するデータまたは前記ファイル共有空間におけるデータを前記データ通信端末へ送信する閲覧部をさらに備える請求項１に記載のファイル共有システム。
【請求項８】
複数の通話端末間の通話を制御する通話制御装置に接続されたコンピュータに処理を実行させるファイル共有プログラムであって、
前記通話制御装置から、通話端末間の通話を検出し、通話中の双方の通話者を特定するための情報を通話ごとに取得して、通話状態データとして前記コンピュータが備える記録部に記録する通話状態監視処理と、
前記通話状態データで特定される双方の通話者が共有するためのファイル共有空間を、複数のデータ通信端末からアクセスされうる記録媒体上に生成し、生成した前記ファイル共有空間を識別する情報と、前記双方の通話者を特定する情報とを対応させて関連付けデータとして前記記録部へ記録する共有空間生成処理と、
ファイル共有空間に対するデータ通信端末からのアクセスのうち、前記関連付けデータにおいて当該ファイル共有空間に対応する双方の通話者を特定する情報が示す通話者によるデータ通信端末からのアクセスを許可するアクセス制御処理とをコンピュータに実行させ、
前記共有空間生成処理において、前記データ通信端末からユーザを特定するユーザ情報を取得し、当該ユーザ情報と前記通話状態データに記録された通話中の通話者を特定する情報とを比較して、前記ユーザと前記通話中の前記通話者が同じであると判断した場合に、ファイル共有空間を生成することを特徴とする、ファイル共有プログラム。
【請求項９】
複数の通話端末間の通話を制御する通話制御装置に接続されたコンピュータを用いて通話者間でのファイルの共有を可能にするファイル共有方法であって、
前記コンピュータが備える通話状態監視部が、前記通話制御装置から、通話端末間の通話を検出し、通話中の双方の通話者を特定するための情報を通話ごとに取得して、通話状態データとして前記コンピュータが備える記録部に記録する通話状態監視工程と、
前記コンピュータが備える共有空間生成部が、前記通話状態データで特定される双方の通話者が共有するためのファイル共有空間を、複数のデータ通信端末からアクセスされうる記録媒体上に生成し、生成した前記ファイル共有空間を識別する情報と、前記双方の通話者を特定する情報とを対応させて関連付けデータとして前記記録部へ記録する共有空間生成工程と、
前記コンピュータが備えるアクセス制御部が、ファイル共有空間に対するデータ通信端末からのアクセスのうち、前記関連付けデータにおいて当該ファイル共有空間に対応する双方の通話者を特定する情報が示す通話者によるデータ通信端末からのアクセスを許可するアクセス制御工程とを含み、
前記共有空間生成工程において、前記データ通信端末からユーザを特定するユーザ情報を取得し、当該ユーザ情報と前記通話状態データに記録された通話中の通話者を特定する情報とを比較して、前記ユーザと前記通話中の前記通話者が同じであると判断した場合に、ファイル共有空間を生成することを特徴とする、ファイル共有方法。
【発明の詳細な説明】
【技術分野】
【０００１】
本発明は、通話中に、複数の通話者がファイルを共有することを可能とする電話サービスを実現するためのファイル共有システム、ファイル共有方法、ファイル共有プログラムに関する。
【背景技術】
【０００２】
電話は古くから使われているコミュニケーション手段であり、現在でも老若男女を問わず広く使われている。一方、現在では、ＰＣ（Ｐｅｒｓｏｎａｌ  Ｃｏｍｐｕｔｅｒ）、インタネット（Ｉｎｔｅｒｎｅｔ）、デジタルカメラなどの普及により、距離の離れた人に自分が撮影した写真を即座に公開するということがインタネット等のデータ通信網の発達により可能となっている。このような状況を背景に、例えば、電話中に自分が撮影した写真などを相手にも公開し、共有することで、その写真について会話を行いたいという要求が高まっている。また、このような個人ユースだけでなく、ビジネスにおいて、通話相手と同じ文書や資料を見ながら会話をしたいという要求が昔から存在する。
【０００３】
従来、こうした要求を、例えば、電話機の機能をＰＣ上のソフトウエアで実現したソフトフォンにより満たすことができた。すなわち、ソフトフォンのファイル転送・ファイル共有機能を使ってファイルやＵＲＬ（Ｕｎｉｆｏｒｍ  Ｒｅｓｏｕｒｃｅ  Ｌｏｃａｔｏｒ）を1つずつ相手に転送することができる。
【０００４】
また、上記要求を実現するために、ＩＰ（Ｉｎｔｅｒｎｅｔ  Ｐｒｏｔｏｃｏｌ）電話の端末に、Ｗｅｂ上のファイルを共有するための機能が追加された通信端末が提案されている（例えば、特許文献１参照）。この通信端末は、Ｗｅｂ上のファイルの位置を示すＵＲＬを、電子メールプロトコルを用いて、相手の通信端末へ送信することにより、相手の通信端末とＷｅｂ上のファイルを共有する。
【０００５】
また、共有したデータを識別する情報を相手の端末に送信する機能を備える携帯端末も提案されている（例えば、特許文献２参照）。
【特許文献１】特開２００４−２６６３２５号公報
【特許文献２】特開２００４−２９７２５０号公報
【発明の開示】
【発明が解決しようとする課題】
【０００６】
しかしながら、上記従来の方法は、いずれも、通話を行う双方の端末でファイルを共有するための機能を実装することが必要となる。すなわち、ソフトフォンでは、双方の端末で同じプロトコルを用いるソフトフォンのソフトウエアが実装されている必要がある。また、上記特許文献１および特許文献２に記載の方法は、いずれも、ファイル共有するための機能が追加された端末を使用することが前提となっている。
【０００７】
本発明は、このような課題を解決するために、特別な機能を追加された端末を使用しなくても、通話中に通話の相手とファイルを共有することができるファイル共有システム、ファイル共有プログラム、ファイル共有方法を提供することを目的とする。
【課題を解決するための手段】
【０００８】
本発明におけるファイル共有システムは、複数の通話端末間の通話を制御する通話制御装置に接続されたファイル共有システムであって、前記通話制御装置から、通話端末間の通話を検出し、通話中の双方の通話者を特定するための情報を通話ごとに取得して、通話状態データとして記録部に記録する通話状態監視部と、前記通話状態データで特定される双方の通話者が共有するためのファイル共有空間を、複数のデータ通信端末からアクセスされうる記録媒体上に生成し、生成した前記ファイル共有空間を識別する情報と、前記双方の通話者を特定する情報とを対応させて関連付けデータとして前記記録部へ記録する共有空間生成部と、ファイル共有空間に対するデータ通信端末からのアクセスのうち、前記関連付けデータが示す当該ファイル共有空間に対応する双方の通話者によるデータ通信端末からのアクセスを可能にするアクセス制御部とを備える。
【０００９】
本発明におけるファイル共有プログラムは、複数の通話端末間の通話を制御する通話制御装置に接続されたコンピュータに処理を実行させるファイル共有プログラムであって、前記通話制御装置から、通話端末間の通話を検出し、通話中の双方の通話者を特定するための情報を通話ごとに取得して、通話状態データとして前記コンピュータが備える記録部に記録する通話状態監視処理と、前記通話状態データで特定される双方の通話者が共有するためのファイル共有空間を、複数のデータ通信端末からアクセスされうる記録媒体上に生成し、生成した前記ファイル共有空間を識別する情報と、前記双方の通話者を特定する情報とを対応させて関連付けデータとして前記記録部へ記録する共有空間生成処理と、ファイル共有空間に対するデータ通信端末からのアクセスのうち、前記関連付けデータにおいて当該ファイル共有空間に対応する双方の通話者を特定する情報が示す通話者によるデータ通信端末からのアクセスを許可するアクセス制御処理とをコンピュータに実行させる。
【００１０】
本発明におけるファイル共有方法は、複数の通話端末間の通話を制御する通話制御装置に接続されたコンピュータを用いて通話者間でのファイルの共有を可能にするファイル共有方法であって、前記コンピュータが備える通話状態監視部が、前記通話制御装置から、通話端末間の通話を検出し、通話中の双方の通話者を特定するための情報を通話ごとに取得して、通話状態データとして前記コンピュータが備える記録部に記録する通話状態監視工程と、前記コンピュータが備える共有空間生成部が、前記通話状態データで特定される双方の通話者が共有するためのファイル共有空間を、複数のデータ通信端末からアクセスされうる記録媒体上に生成し、生成した前記ファイル共有空間を識別する情報と、前記双方の通話者を特定する情報とを対応させて関連付けデータとして前記記録部へ記録する共有空間生成工程と、前記コンピュータが備えるアクセス制御部が、ファイル共有空間に対するデータ通信端末からのアクセスのうち、前記関連付けデータにおいて当該ファイル共有空間に対応する双方の通話者を特定する情報が示す通話者によるデータ通信端末からのアクセスを許可するアクセス制御工程とを有する。
【発明の効果】
【００１１】
本発明によれば、特別な機能を追加された端末を使用しなくても、通話中に通話の相手とファイルを共有することができるファイル共有システム、ファイル共有プログラム、ファイル共有方法を提供することができる。
【発明を実施するための最良の形態】
【００１２】
ファイル共有空間は、データ通信端末がアクセス可能な論理的なメモリ領域である。
【００１３】
電話網は、接続された電話間の通話を可能にするための通信網である。電話網は、例えば、公衆交換電話網（ｐｕｂｌｉｃ  ｓｗｉｔｃｈｅｄ  ｔｅｌｅｐｈｏｎｅ  ｎｅｔｗｏｒｋ）を含む一般の電話を繋ぐための電話網であってもよいし、企業や学校内等の構内の電話を繋ぐための電話網であってもよい。また、ＩＰ電話を繋ぐＩＰ網も電話網に含まれる。
【００１４】
通話は、電話網を介する複数の特定端末間での音声による相互通信である。
【００１５】
データ通信網は、例えば、インタネットや、イントラネット（構内ＬＡＮ）等のような複数のコンピュータ間でデータ通信を行うため通信網である。
【００１６】
本発明におけるファイル共有システムは、複数の通話端末間の通話を制御する通話制御装置に接続されたファイル共有システムであって、前記通話制御装置から、通話端末間の通話を検出し、通話中の双方の通話者を特定するための情報を通話ごとに取得して、通話状態データとして記録部に記録する通話状態監視部と、前記通話状態データで特定される双方の通話者が共有するためのファイル共有空間を、複数のデータ通信端末からアクセスされうる記録媒体上に生成し、生成した前記ファイル共有空間を識別する情報と、前記双方の通話者を特定する情報とを対応させて関連付けデータとして前記記録部へ記録する共有空間生成部と、ファイル共有空間に対するデータ通信端末からのアクセスのうち、前記関連付けデータが示す当該ファイル共有空間に対応する双方の通話者によるデータ通信端末からのアクセスを可能にするアクセス制御部とを備える。
【００１７】
前記共有空間生成部は、前記通話状態データで特定される双方の通話者に対応するファイル共有空間を生成するので、通話状態監視部が検出した通話における双方の通話者が共有するためのファイル共有空間を動的に生成することができる。生成されたファイル共有空間は、前記関連付けデータによって、そのファイル共有空間を共有する通話者を識別する情報と対応づけられる。そのため、アクセス制御部は、前記関連付けデータを用いることによって、そのファイル共有空間に対応する双方の通話者によるデータ通信端末からのアクセスを可能にするように、前記ファイル共有空間に対するアクセスを制御することができる。
【００１８】
双方の通話者は、通話中に、データ通信端末を用いて前記ファイル共有空間にアクセスして、ファイル共有空間へデータを追加したり、更新したり、取得したりすることができる。これにより、双方の通話者が通話に使用する通話端末またはデータ通信に使用するデータ通信端末に、ファイルを共有するための特別な機能が備えられていなくても、通話者が、通話中に相手の通話者とファイルを共有することができる。
【００１９】
本発明におけるファイル共有システムにおいて、前記通話状態監視部は、通話端末間の通話の開始を検出することによって、通話中の通話者を識別する情報を通話ごとに取得して、通話状態データとして前記記録部に記録し、前記共有空間生成部は、前記通話の開始が検出された時に、前記ファイル共有空間を生成することが好ましい。
【００２０】
前記共有空間生成部は、前記通話状態監視部が、通話の開始を検出した時に前記ファイル共有空間を動的に生成するので、双方の通話者は、通話の開始とともに、ファイル共有空間においてデータを共有することができる。
【００２１】
本発明におけるファイル共有システムにおいて、前記通話状態監視部は、通話中の通話端末から送信される信号であって、ファイル共有空間生成を指示する信号をさらに検出し、前記共有空間生成部は、前記通話状態監視部が前記信号を検出した後に、前記ファイル共有空間を生成することが好ましい。
【００２２】
前記共有空間生成部は、前記通話状態監視部が通話端末から送信された前記信号を検出した後に、前記ファイル共有空間を動的に生成することができる。そのため、通話者は、通話端末を用いて前記信号を送信することによって、前記ファイル共有空間にファイル共有空間を生成させることができる。また、通話者は、通話端末を用いて前記信号を送るタイミングを制御することによって、前記共有空間生成部が前記ファイル共有空間を生成するタイミングを制御することができる。
【００２３】
本発明におけるファイル共有システムにおいて、前記ファイル共有空間が生成される記憶媒体は、予め決められたファイル共有サーバの記録部であり、前記共有空間生成部は、データ通信端末からファイル共有サーバへアクセスがあった場合に、前記データ通信端末からユーザを特定するユーザ情報を取得し、当該ユーザ情報と前記通話状態データに記録された通話中の通話者を特定する情報とを比較して、前記ユーザと前記通話中の前記通話者が同じであると判断した場合に、ファイル共有空間を生成することが好ましい。
【００２４】
これにより、通話中の通話者は、データ通信端末からファイル共有サーバへアクセスすることによって、共有空間生成部にファイル共有空間を生成させることができる。また、通話者は、ファイル共有空間を生成する時期を自由に決定することができる。
【００２５】
本発明におけるファイル共有システムにおいて、前記通話状態監視部は、通話の終了をさらに検出するものであって、前記通話状態監視部が終了を検出した通話における通話者に対応するファイル共有空間を識別する情報を前記関連付けデータから取得し、前記検出の直後または一定時間経過後に、前記情報が示す前記ファイル共有空間を削除する共有空間削除部をさらに備えることが好ましい。
【００２６】
共有空間削除部は、終了した通話における通話者のファイル共有空間を削除するので、通話中または通話終了後の一定時間内等のように、ファイル共有空間が必要な時にのみ、前記ファイル共有サーバにおいて前記ファイル共有空間が確保される。そのため、前記ファイル共有サーバのリソースを効率よく使用することができる。
【００２７】
本発明におけるファイル共有システムにおいて、前記通話状態監視部は、通話の終了をさらに検出し、前記ファイル共有システムは、前記アクセス制御部は、前記通話状態監視部が終了を検出した通話における通話者のファイル共有空間を識別する情報を前記関連付けデータから取得し、前記通話の終了直後または一定時間経過後から前記情報が示すファイル空間へのデータ通信端末からのアクセスを禁止することが好ましい。
【００２８】
前記アクセス制御部は、終了した通話についてのファイル共有空間へのデータ通信端末からのアクセスを不可能にするので、通話中または通話終了後の一定時間等のように、ファイル共有空間が必要な時にのみ、前記ファイル共有空間が共有される。そのため、双方の通話者がデータ通信端末を用いてファイル共有空間にアクセスできるのは、通話者の双方が通話している間または、その通話の一定時間経過後のみに限られる。
【００２９】
本発明におけるファイル共有システムにおいて、前記アクセス制御部は、データ通信端末からのアクセスを禁止したファイル共有空間について、前記関連付けデータにより前記ファイル共有空間に対応付けられた双方の通話者による通話が通話状態監視部で検出された場合、前記ファイル共有空間への双方の通話者によるデータ通信端末からのアクセスを許可することが好ましい。
【００３０】
これにより、通話者は、通話終了後に再び同じ相手と通話をする場合、前回に共有したファイル共有空間のデータを再び共有することができる。また、双方の通話者が同じである通話が複数回行われた場合に、２回目の以降の通話においては、前回のファイル共有空間が共有されるので、共有空間生成部は新たにファイル共有空間を生成する必要がなくなる。その結果、共有空間生成部の処理量が低減され、かつ、ファイル共有サーバのリソースを効率よく使用することが可能になる。
【００３１】
本発明におけるファイル共有システムにおいて、前記ファイル共有空間が生成される記憶媒体は、予め決められたファイル共有サーバの記録部であり、前記ファイル共有システムは、データ通信端末から前記ファイル共有サーバへアクセスがあった場合に、前記データ通信端末からユーザを特定するユーザ情報を取得し、前記関連付けデータから前記ユーザの過去の通話における相手の通話者を特定するデータまたは過去の通話で生成されたファイル共有空間におけるデータを取得して、前記相手の通話者に関するデータまたは前記ファイル共有空間におけるデータを前記データ通信端末へ送信する閲覧部をさらに備えることが好ましい。
【００３２】
前記関連付けデータには、ファイル共有空間を識別する情報と、それぞれのファイル共有空間に対応する通話者を識別するための情報が含まれているので、前記閲覧部は、前記関連付けデータを参照することにより、あるユーザの過去の通話における相手の通話者、または、過去に共有したファイル共有空間におけるデータを得ることができる。前記閲覧部は、これらのデータを前記データ通信端末へ送信するので、前記通信端末のユーザは、過去の通話における通話の相手を表すデータや、過去にファイル共有空間で共有したデータを得ることができる。
【００３３】
本発明におけるファイル共有システムにおいて、前記通話状態監視部は、複数の通話端末が接続された電話網に設けられた通話制御装置から、通話端末間の通話を検出し、通話中の双方の通話者を特定するための情報を通話ごとに取得して、通話状態データとして記録部に記録し、前記共有空間生成部は、複数のデータ通信端末が接続されたデータ通信網に接続されたコンピュータ上の記憶媒体に前記ファイル共有空間を生成することが好ましい。
【００３４】
これにより、電話網を介した通話端末よる通話における双方の通話者が、データ通信網に接続されたデータ通信端末を用いて、ファイル共有空間におけるデータを共有することができる。
【００３５】
本発明におけるファイル共有システムにおいて、前記アクセス制御部は、前記関連付けデータにおいて当該ファイル共有空間に対応する双方の通話者を特定する情報が示す通話者のデータ通信端末へ、当該ファイル共有空間へアクセスするための情報を送信することによって、前記双方の通話者のデータ通信端末からのアクセスを可能にすることが好ましい。
【００３６】
前記アクセス制御部は、通話者のデータ通信端末へ、ファイル共有空間へアクセスするための情報を送信するので、通話者は、その情報を用いてデータ通信端末から前記ファイル共有空間へアクセスすることが可能になる。
【００３７】
本発明におけるファイル共有システムにおいて、前記アクセス制御部は、データ通信端末からファイル共有空間へのアクセスがあった場合に、データ通信端末からユーザを特定するユーザ情報を取得し、当該ユーザ情報と前記関連付けデータにおいて当該ファイル共有空間に対応する双方の通話者を特定する情報とを比較して、双方の通話者のいずれか一方と、前記ユーザとが一致すると判断した場合に、前記データ通信端末からのアクセスを可能にすることが好ましい。
【００３８】
アクセス制御部は、ファイル共有空間へアクセスしたデータ通信端末のユーザが、ファイル共有空間を共有するべき通話者であるか否かを、当該ファイル共有空間に対応する双方の通話者を特定する情報と前記ユーザ情報とを比較することにより判断することができる。そのため、前記関連付けデータが示す当該ファイル共有空間に対応する双方の通話者によるデータ通信端末からのアクセスが可能になる。
【００３９】
本発明におけるファイル共有プログラムは、複数の通話端末間の通話を制御する通話制御装置に接続されたコンピュータに処理を実行させるファイル共有プログラムであって、前記通話制御装置から、通話端末間の通話を検出し、通話中の双方の通話者を特定するための情報を通話ごとに取得して、通話状態データとして前記コンピュータが備える記録部に記録する通話状態監視処理と、前記通話状態データで特定される双方の通話者が共有するためのファイル共有空間を、複数のデータ通信端末からアクセスされうる記録媒体上に生成し、生成した前記ファイル共有空間を識別する情報と、前記双方の通話者を特定する情報とを対応させて関連付けデータとして前記記録部へ記録する共有空間生成処理と、ファイル共有空間に対するデータ通信端末からのアクセスのうち、前記関連付けデータにおいて当該ファイル共有空間に対応する双方の通話者を特定する情報が示す通話者によるデータ通信端末からのアクセスを許可するアクセス制御処理とをコンピュータに実行させる。
【００４０】
本発明におけるファイル共有方法は、複数の通話端末間の通話を制御する通話制御装置に接続されたコンピュータを用いて通話者間でのファイルの共有を可能にするファイル共有方法であって、前記コンピュータが備える通話状態監視部が、前記通話制御装置から、通話端末間の通話を検出し、通話中の双方の通話者を特定するための情報を通話ごとに取得して、通話状態データとして前記コンピュータが備える記録部に記録する通話状態監視工程と、前記コンピュータが備える共有空間生成部が、前記通話状態データで特定される双方の通話者が共有するためのファイル共有空間を、複数のデータ通信端末からアクセスされうる記録媒体上に生成し、生成した前記ファイル共有空間を識別する情報と、前記双方の通話者を特定する情報とを対応させて関連付けデータとして前記記録部へ記録する共有空間生成工程と、前記コンピュータが備えるアクセス制御部が、ファイル共有空間に対するデータ通信端末からのアクセスのうち、前記関連付けデータにおいて当該ファイル共有空間に対応する双方の通話者を特定する情報が示す通話者によるデータ通信端末からのアクセスを許可するアクセス制御工程とを有する。
【００４１】
以下、図面を参照して、本発明の実施の一形態を詳細に説明する。
【００４２】
（実施の形態１）
図１は、本実施形態におけるファイル共有システム１の構成の例を表す機能ブロック図である。ファイル共有システム１は、電話網１１における通話制御サーバとしての交換機７と、インタネット１３とに接続されている。電話網１１は、通話端末６ａ、６ｂを含む複数の通話端末が接続されている。例えば、通話端末６ａは、交換機７によって相手の通話端末６ｂへ接続され、通話端末６ａ、６ｂ間で通話が可能になる。電話網１１は、例えば、公衆交換電話網である。
【００４３】
交換機７は、電話網１１の通話を制御するとともに、ファイル共有システム１へ、通話状態を示す情報を送信する。交換機７は、例えば、通話端末間の通話が確立すると、その通話が確立したことを示す通話確立情報と、確立した通話の通話端末の電話番号とを、ファイル共有システム１へ送信する。また、交換機７は、通話が切断されると、通話が切断されたことを示す通話切断情報をファイル共有システム１へ送信する。なお、交換機７は、電話網１１で通話を制御する通話制御サーバ（通話制御装置）として機能する。
【００４４】
インタネット１３には、ファイル共有サーバ８、データ通信端末１５ａ、１５ｂが接続されている。ファイル共有サーバ８は、データ通信端末１５ａ、１５ｂからアクセス可能なＷｅｂサーバの機能を備えている。データ通信端末１５ａ、１５ｂは、インタネット１３を介してファイル共有サーバが備える記録部１７のデータにアクセスすることができる。
【００４５】
ファイル共有システム１は，通話状態監視部２、共有空間生成部３、共有空間削除部４、アクセス制御部５および記録部９を備える。記録部９には、通話状態データ、通話者データ、関連付けデータが記録されている。
【００４６】
通話状態監視部２は、交換機７から通話状態を示す通話状態データを受信する。通話状態データは記録部９へ記録される。通話状態データには、例えば、通話の確立または切断に関する情報と、通話者を特定するための情報が含まれる。例えば、通話の確立を示す通話確立情報、確立した通話における通話端末を識別するための電話番号、通話の切断を示す通話切断情報等が通話状態データに含まれる。
【００４７】
図２（ａ）は、通話状態データの例を示す図である。図２（ａ）に示す例では、通話状態データは、通話ごとに、通話状態、双方の通話者Ｉ、ＩＩのそれぞれの電話番号が記録されている。通話状態監視部２は、交換機７から通話確立情報を受信すると、その通話における双方の通話者の電話番号を含むエントリを生成し、そのエントリにおける通話状態を「通話中」にする。また、通話状態監視部２は、交換機７から通話確立情報を受信すると、その通話のエントリにおける通話状態を「切断」に更新する。
【００４８】
共有空間生成部３は、通話状態データで示される各通話における通話者が共有するためのファイル共有空間を、ファイル共有サーバ８に生成する。ファイル共有空間として、例えば、フォルダがファイル共有サーバの記録部１７に生成される。なお、本実施形態においては、ファイル共有空間としてフォルダが作成される例を説明するが、ファイル共有空間の形態は、フォルダに限られない。例えば、ディレクトリ、ファイルそのもの、Ｗｅｂページ等、一定の論理的なメモリ領域をファイル共有空間とすることができる。
【００４９】
共有空間生成部３は、生成したファイル共有空間を識別するための共有空間ＩＤを生成する。共有空間生成部３は、共有空間ＩＤと、その共有空間ＩＤで示されるファイル共有空間を共有する通話者を特定する情報とが対応づけられた関連付けデータを生成して記録部９へ記録する。通話を特定する情報は、例えば、その通話における双方の通話者の電話番号等である。
【００５０】
図２（ｂ）は、関連付けデータの例を示す図である。図２（ｂ）に示す例では、関連付けデータは、共有空間ＩＤと、その共有空間ＩＤが示すファイル共有空間を共有する双方の通話者Ｉ、ＩＩのそれぞれの電話番号とが記録されている。
【００５１】
共有空間削除部４は、共有空間生成部３が、ファイル共有サーバ８の記録部１７に生成したファイル共有空間を削除する。
【００５２】
アクセス制御部５は、記録部９に記録された通話者データおよび関連付けデータを元に、データ通信端末１５ａ、１５ｂからのファイル共有空間へのアクセスを制御する。
【００５３】
通話者データは、通話状態データで特定される通話者に関する情報である。通話者データには、例えば、通話者のメールアドレス、ユーザＩＤ等が含まれる。通話者データは、予め、例えば、通話者によりデータ通信端末１５ａ、１５ｂを通じて記録部９に記録される。すなわち、通話者データには、データ通信端末１５ａ、１５ｂを通じて通話者とデータ通信を行うための情報が含まれている。
【００５４】
図２（ｃ）は、通話者データの例を示す図である。図２（ｃ）に示す例では、通話者データは、通話者を特定する電話番号と、その電話番号で特定される通話者のメールアドレスとが対応付けられて記録されている。
【００５５】
アクセス制御部５は、関連付けデータを参照して、各ファイル共有空間について、ファイル共有空間を共有する通話者の電話番号を得る。また、アクセス制御部５は、各ファイル共有空間を共有する通話者のデータ通信端末１５ａ、１５ｂへデータを送信するためのメールアドレス等の情報を、通話者データから取得する。
【００５６】
アクセス制御部は、通話者データから得られたメールアドレスを用いて、各ファイル共有空間を共有する通話者のデータ通信端末１５ａ、１５ｂに各ファイル共有空間にアクセスするためのアクセス情報を送信する。アクセス情報は、例えば、ファイル共有空間のＵＲＬ等である。その結果、各ファイル共有空間を共有する通話者が、データ通信端末１５ａ、１５ｂを通じて各ファイル共有空間にアクセス可能となるようにすることができる。
【００５７】
ファイル共有システム１は、例えば、パーソナルコンピュータ、サーバ等のコンピュータにより構成される。通話状態監視部２、共有空間生成部３、共有空間削除部４、アクセス制御部５の機能は、コンピュータのＣＰＵまたはＭＰＵが所定のプログラムを実行することで実現することができる。また、記録部９には、コンピュータが備えるハードディスク、半導体メモリ、フレキシブルディスク、ＤＶＤ等を用いることができる。
【００５８】
なお、ファイル共有システム１の構成は、図１に示す構成に限られない。例えば、ファイル共有サーバ８とファイル共有システム１は、１台のコンピュータ上に構築することができる。また、ファイル共有システム１の機能が複数のコンピュータに分散した構成とすることもできる。
【００５９】
次に、ファイル共有システム１の動作について説明する。図３は、通話状態監視部２が監視する通話状態に基づいて、共有空間が生成または削除される処理の例を示すフローチャートである。
【００６０】
電話網１１において、通話が確立または切断された場合は、交換機７から通話状態監視部２へ通話の確立または切断が通知される。通話の確立の通知には、その確立した通話における双方の通話者の通話端末６ａ、６ｂの電話番号の通知が含まれており、通話の切断の通知には、その切断した通話における双方の通話者の通話端末６ａ、６ｂの電話番号の通知が含まれている。
【００６１】
通話状態監視部２は、交換機７からの通知を待ち受ける（ステップＳ１）。通話状態監視部２は、交換機７からの通知を検出した場合（ステップＳ１でｙｅｓ）、その通知が、通話確立の通知か否かを判断する（ステップＳ２）。
【００６２】
その通知が、通話確立の通知であった場合（ステップＳ２でｙｅｓ）、通話状態監視部２は、その確立された通話における双方の通話端末６ａ、６ｂの電話番号で、通話状態データを検索する（ステップＳ３）。通話状態データは、例えば、図２に示すように、通話状態、通話者Ｉ、ＩＩの電話番号を含むエントリの集合である。
【００６３】
検索の結果、その通話における通話端末６ａ、６ｂの双方の電話番号を含むエントリが通話状態データに存在しない場合（ステップＳ４でｎｏ）、通話状態監視部２は、確立した通話における双方の通話端末６ａ、６ｂの電話番号を、通話者Ｉ、ＩＩのそれぞれの電話番号とするエントリを生成して、通話状態データに追加する（ステップＳ５）。
【００６４】
通話状態監視部２は、ステップＳ５で追加されたエントリの状態を「通話中」に更新する（ステップＳ６）。その後、共有空間生成部３が、確立した通話における双方の通話者が共有するためのファイル共有空間を、ファイル共有サーバ８の記録部１７に生成する（ステップＳ７）。ファイル共有空間生成処理の詳細については、後述する。
【００６５】
交換機７から受け取った通知が、通話確立の通知でない場合（ステップＳ２でｎｏ）、通話状態監視部２は、その通知が通話切断の通知か否かを判断する（ステップＳ８）。その通知が通話切断の通知でもない場合（ステップＳ８でｎｏ）、通話状態監視部２は、次の通知を待つ。
【００６６】
その通知が通話切断の通知である場合（ステップＳ８でｙｅｓ）、通話状態監視部２は、切断された通話における双方の通話端末の電話番号で、通話状態データを検索する（ステップＳ９）。検索の結果、その切断された通話における双方の通話端末の電話番号を含むエントリが通話状態データに存在しない場合、通話状態監視部２は、通知待ち状態（ステップＳ１）へ戻る。
【００６７】
検索の結果、その切断された通話における双方の通話端末の電話番号を含むエントリが通話状態データに存在する場合（ステップＳ１０でｙｅｓ）、そのエントリの通話状態を「切断」に更新する（ステップＳ１１）。その後、共有空間削除部４が、切断した通話の双方の通話者が共有していたファイル共有空間を、ファイル共有サーバ８から削除する（ステップＳ１２）。ファイル共有空間削除処理の詳細については後述する。
【００６８】
図３に示すフローチャートの処理により、通話が確立された時に、ファイル共有空間が生成され、通話が切断されたときに、ファイル共有空間が削除される。
【００６９】
（ファイル共有空間生成処理の例）
次に、共有空間生成部３が、ファイル共有空間を生成する処理について説明する。図４（ａ）は、図１に示す電話網１１において通話者Ａ、Ｂの通話端末６ａ、６ｂによる通話が確立した場合に、共有空間生成部３がファイル共有空間を生成する処理（図３のステップＳ７）の例を示すフローチャートである。
【００７０】
共有空間生成部３は、通話状態データで、通話状態が「通話中」になっているエントリにおける双方の通話者Ａ、Ｂの通話端末６ａ、６ｂの電話番号（ここでは、一例として「０００１」「０００２」とする。）を取得する。
【００７１】
共有空間作成部３は、取得した双方の電話番号で、関連付けデータを検索する（ステップＳ７０１）。双方の通話者を含むエントリが、関連付けデータに存在しない場合（ステップＳ７０２でｎｏ）、共有空間生成部３は、ファイル共有空間を生成する要求信号をファイル共有サーバ８に送信する（ステップＳ７０３）。
【００７２】
ファイル共有サーバ８は、ファイル共有空間生成の要求信号を受信すると、記録部１７に、ファイル共有空間として、新規にフォルダを生成する。フォルダ生成に成功すると、ファイル共有サーバ８は、そのファイル共有空間を識別するための共有空間ＩＤを、共有空間生成部３に返す。
【００７３】
共有空間生成部３は、生成されたファイル共有空間の共有空間ＩＤを受け取ると、その共有空間ＩＤと、双方の通話端末６ａ、６ｂの電話番号「０００１」「０００２」とでエントリを生成し、関連付けデータに追加する（ステップＳ７０４）。図２（ｂ）に示す関連付けデータでは、共有空間ＩＤが「ｓｈａｒｅ００１」のエントリが追加されたエントリの例である。これにより、新たに生成されたファイル共有空間と、そのファイル共有空間を共有する通話者とを対応付けたデータが関連付けデータに追加される。
【００７４】
（ファイル共有空間削除処理の例）
次に、共有空間削除部４が、ファイル共有空間を削除する処理について説明する。図４（ｂ）は、図１に示す電話網１１において通話者Ａ、Ｂの通話端末６ａ、６ｂによる通話が切断された場合に、その通話について、共有空間削除部４がファイル共有空間を削除する処理（図３のＳ１２）の例を示すフローチャートである。
【００７５】
通話端末６ａ、６ｂによる通話が切断された場合、図２（ａ）に示す通話状態データにおいて、「０００１」、「０００２」を含むエントリにおいて通話状態が「切断」に更新される。共有空間削除部４は、通話状態データで、状態が「切断」になっているエントリが示す通話における双方の通話端末６ａ、６ｂの電話番号を取得する。
【００７６】
共有空間削除部４は、それらの取得した電話番号で、関連付けデータを検索する（ステップＳ１２０１）。双方の通話端末６ａ、６ｂの電話番号に一致する電話番号を含むエントリが、関連付けデータに存在する場合（ステップＳ１２０２でｙｅｓ）、共有空間削除部４は、そのエントリの共有区間ＩＤを取得する（ステップＳ１２０３）。図２（ｂ）に示す例では、共有区間ＩＤは、「ｓｈａｒｅ００１」となる。共有空間削除部４は、取得した共有空間ＩＤと、ファイル共有空間を削除する要求信号をファイル共有サーバ８に送信する（ステップＳ１２０４）。
【００７７】
ファイル共有サーバ８は、共有空間ＩＤおよびファイル共有区間削除の要求信号を受信すると、共有空間ＩＤが示すファイル共有空間に対応するフォルダを記録部１７から削除する。フォルダ削除に成功すると、ファイル共有サーバ８は、その削除成功を示す信号を、共有空間削除部４に返す。
【００７８】
削除成功を示す信号を受信した共有空間削除部４は、削除したファイル共有空間を示す共有空間ＩＤを含むエントリを関連付けデータから削除する（ステップＳ１２０５）。図２（ｂ）に示す例では、共有空間ＩＤ「ｓｈａｒｅ００１」のエントリが削除される。
【００７９】
以上の図４（ｂ）に示す処理により、ある通話について、ファイル共有空間が生成されていた場合、その通話が切断されるとその通話について生成されたファイル共有空間が削除される。そのため、双方の通話者は、通話中にのみファイル共有空間を利用することができる。
【００８０】
（メール送信によるアクセス制御処理の例）
共有空間生成部３によって生成されたファイル共有空間へのアクセスは、アクセス制御部５によって制御される。図５は、図１に示す通話端末６ａ、６ｂ間の通話について生成されたファイル共有空間に、その通話の通話者Ａ、Ｂがデータ通信端末１５ａ、１５ｂを用いてアクセスできるようにアクセス制御部５がアクセス制御を行う処理の例を示すフローチャートである。
【００８１】
ここでは、共有空間生成部３が、生成したファイル共有空間の共有空間ＩＤ「ｓｈａｒｅ０００１」と通話端末６ａ、６ｂ双方の電話番号「０００１」、「０００２」とを、図２（ｂ）に示す関連付けデータに追加した場合の例を説明する。
【００８２】
アクセス制御部５は、関連付けデータを参照して、共有空間ＩＤ「ｓｈａｒｅ０００１」のエントリから、双方の通話者Ａ、Ｂの電話番号「０００１」、「０００２」を取得する。
【００８３】
アクセス制御部５は、一方の通話端末６ａの電話番号「０００１」で、通話者データを検索する（ステップＳ２１）。通話者データは、例えば、図２（ｃ）に示すように、電話番号とメールアドレスとの対応を表すデータである。もしも、通話端末６ａの電話番号を含むエントリが存在しない場合（ステップＳ２２でｎｏ）は、アクセス制御が不可能なので処理を終了する。
【００８４】
通話端末６ａの電話番号「０００１」を含むエントリが存在する場合（ステップＳ２２でｙｅｓ）、他方の通話端末６ｂの電話番号「０００２」で、通話者データを検索する（ステップＳ２３）。もしも、通話端末６ｂの電話番号「０００２」が存在しない場合は処理を終了する。
【００８５】
電話番号「０００２」も存在する場合（ステップＳ２４でｙｅｓ）、アクセス制御部５は、通話者データから、電話番号が「０００１」の通話端末６ａの通話者Ａのメールアドレスを取得する（ステップＳ２５）。
【００８６】
アクセス制御部５は、一方の通話者Ａのメールアドレスを宛先として、通話者Ａが、共有空間ＩＤ「ｓｈａｒｅ０００１」が示すファイル共有空間へアクセスできるようにするためのデータを送信する（ステップＳ２６）。例えば、アクセス制御部５は、ファイル空間ＩＤ「ｓｈａｒｅ０００１」が示すファイル共有空間内のファイルの場所を示すＵＲＬを通話者Ａのメールアドレスへ送信する。ＵＲＬには、パラメータとして共有空間ＩＤ「ｓｈａｒｅ０００１」が含まれていても良い。
【００８７】
これにより、通話者Ａは、ファイル共有空間へアクセスするための情報を、データ通信端末１５ａを用いてメールにより得ることができる。そのため、通話者Ａは、データ通信端末１５ａを使って、メールで送られてきたＵＲＬが示すファイル共有空間へアクセスすることができる。
【００８８】
アクセス制御部５は、同様にして、他方の通話者Ｂのメールアドレスを取得し（ステップＳ２７）、そのメールアドレスの宛先へ、共有空間ＩＤ「ｓｈａｒｅ０００１」が示すファイル共有空間へアクセスするための情報を送信する。
【００８９】
アクセス制御部５は、同様にして、他方の通話者Ｂのメールアドレスを宛先として、通話者Ｂのメールアドレスへファイル共有空間にアクセスするためのデータを送信する（ステップＳ２８）。通話者Ｂもまた、データ通信端末１５ｂを用いて、ファイル共有空間へアクセスするための情報をメールで得ることができる。
【００９０】
図６（ａ）は、データ通信端末１５ａにおいて、通話者Ａが、メールで送られてきたＵＲＬのファイル共有空間にアクセスした場合に表示される画面の一例を示す図である。図６（ａ）に示す画面は、例えば、データ通信端末１５ａに実装されているＷｅｂブラウザの機能により表示される。
【００９１】
図６（ａ）に示す画面には、ＵＲＬ入力エリア２１、内容表示エリア２３、タイトル入力エリア２５、ファイル名入力エリア２６、登録ボタン２７が表示されている。通話者Ａは、例えば、ＵＲＬ入力エリア２１に、メールで送られてきたＵＲＬを入力することにより、ファイル共有空間内へアクセスすることができる。内容表示エリア２３には、ファイル共有空間のファイルが表示される。図６（ａ）に示す例では、ファイル共有空間に共有ファイルが存在しない場合なので、「共有ファイルはありません」と表示されている。
【００９２】
また、通話者Ａは、ファイル共有空間に共有ファイルを追加したい場合、例えば、タイトル入力エリア２５に共有ファイルのタイトルを、ファイル名入力エリア２６に追加するファイルのファイル名を入力し、登録ボタンをクリックすることで、共有ファイルを追加することができる。
【００９３】
ファイル名に、例えば、データ通信端末１５ａに記録されたファイルのファイル名が入力された場合、登録ボタンがクリックされると、Ｗｅｂブラウザは、例えば、ＨＴＴＰプロトコルのＰＯＳＴメソッドにより、タイトルとファイルをファイル共有サーバに送信する。また、Ｗｅｂブラウザは、データ通信端末１５ａが備えるファイル転送モジュールに、入力されたファイル名のファイルをデータ通信端末１５ａから、ＵＲＬ入力エリアに入力されたＵＲＬが示すファイル共有空間へ転送させてもよい。
【００９４】
図６（ｂ）は、ファイル追加後に、内容表示エリアの表示を更新した場合に表示される画面の例を示す図である。図６（ｂ）に示す例は、追加された共有ファイルが画像ファイルである場合に、その画像のタイトルとサムネイルが表示されている場合の例である。
【００９５】
以上のようにして、通話者Ａは、データ通信端末１５ａを用いてファイル共有空間にアクセスすることができる。他方の通話者Ｂも同様にして、ファイル共有空間にアクセスすることができる。また、図６（ａ）、（ｂ）に示す画面は一例であって、画面の表示態様はこれらに限られない。
【００９６】
上記の図４（ｂ）に示す処理においては、通話が切断されると、その通話におけるファイル共有空間が削除されていた。しかし、共有空間削除部４が、ファイル共有空間を削除するタイミングは、通話切断時に限られない。例えば、共有空間削除部４は、通話切断後の一定時間経過後にファイル共有空間を削除することができる。
【００９７】
図７は、共有空間削除部４が、通話の切断から一定時間経過後にファイル共有空間が削除される場合の処理の例を示すフローチャートである。図７に示す処理において、図３に示す処理と同じステップには、同じ番号を付し、説明を省略する。
【００９８】
図７に示す処理では、ステップＳ１０において、切断された通話における双方の通話者の電話番号と一致する電話番号のエントリが通話状態データに存在する場合（ステップＳ１０でｙｅｓ）に、通話状態監視部２は、そのエントリの状態を「切断」に更新し、切断時刻をそのエントリに記録する（ステップＳ１１ａ）。
【００９９】
図８は、切断時刻が記録された場合の通話状態データの例を示す図である。図８に示す例は、通話ごとに切断時刻がさらに記録されている。
【０１００】
共有空間削除部４は、図８に示すような通話状態データを参照して、切断時刻から一定時間が経過した通話を抽出し、その通話についてのファイル共有空間を削除する。共有空間を削除する処理は、図４（ｂ）に示す処理と同様である。
【０１０１】
図７に示す処理により、通話が切断されてから一定時間経過後にファイル共有空間が削除されるので、通話者は、通話を終えた後も一定時間ファイル共有空間にアクセスできる。そのため、例えば、通話中に携帯電話の電波が届かなくなる等、不測の原因により通話が切断された場合であっても、直ちにファイル共有空間にアクセスできなくなることはなくなる。
【０１０２】
（実施の形態２）
本実施形態におけるファイル共有システム１では、図１に示す構造において、通話状態監視部２およびアクセス制御部５の処理が実施の形態１と異なる。また、本実施形態におけるファイル共有システム１では、通話者データの構造も実施形態１と異なる。
【０１０３】
図９は、本実施形態における通話者データの構造を示す図である。図９に示す通話者データは、通話者の通話端末を識別する電話番号と、通話者がファイル共有サーバ８へログインする際のユーザＩＤとが対応付けられて記録されている。
【０１０４】
本実施形態におけるアクセス制御部５は、通話者が、ユーザＩＤを用いてデータ通信端末からファイル共有サーバへログインした時に、そのユーザＩＤで示される通話者の電話番号を、通話者データから取得する。アクセス制御部５は、ログインした通話者の電話番号を用いて、その通話者の通話状態を表すデータを、通話状態データから取得する。アクセス制御部５は、ログインした通話者が通話中であった場合、関連付けデータから、通話者が行っている通話のファイル共有空間を識別する共有空間ＩＤを取得する。そのため、アクセス制御部５は、データ通信端末を用いてファイル共有サーバにログインした通話者が、共有空間ＩＤで示されるファイル共有空間にアクセスできるようにすることができる。その結果、ファイル共有空間を共有する通話者のみが、そのファイル共有空間にアクセス可能となるようにすることができる。
【０１０５】
次に本実施形態におけるファイル共有システムの動作を説明する。図１０は、本実施形態における通話状態監視部２が監視する通話状態に基づいて、共有空間が生成または削除される処理の例を示すフローチャートである。図１０に示す処理において、図３に示す処理と同じステップには、同じ番号を付し、説明を省略する。
【０１０６】
図１０に示す処理では、通話の確立が通知され（ステップＳ２でｙｅｓ）、その通話を示すエントリが通話状態データに生成され（ステップＳ５）、そのエントリの状態が「通話中」に更新された（ステップＳ６）後、共有空間生成部３はファイル共有空間の生成（図２のステップＳ７）を行わない。その替わりに、ファイル共有空間の生成は、通話者のデータ通信端末からファイル共有サーバへアクセスがあった場合に行われる。ファイル共有空間を生成する場合の処理については後述する。
【０１０７】
また、通話の切断が通知された場合（ステップＳ８でｙｅｓ）、通話状態監視部２は、そのエントリの状態を「切断」に更新し、切断時刻をそのエントリに記録する（ステップＳ１１ａ）。また、共有空間削除処理（図２のステップＳ１２）は行われない。
【０１０８】
図１１は、通話者Ａによるデータ通信端末１５ａからファイル共有サーバ８へのログインがあった場合、アクセス制御部５が行う処理の例を示すフローチャートである。図１１に示すように、アクセス制御部５は、ファイル共有サーバ８へのログインがあるまで待機する（ステップＳ３１）。例えば、通話者Ａは、通話端末６ａで通話者Ｂと通話中に、データ通信端末１５ａを用いて、インタネット１３を介してファイル共有サーバ８へログインする。通話者Ａは、ログインする際にユーザＩＤを入力する。
【０１０９】
ファイル共有サーバ８へのログインがあると、アクセス制御部５は、ログイン時のユーザＩＤを使って、例えば、通話者データからログイン時のユーザＩＤを持つ通話者Ａの電話番号を取得する。例えば、通話者Ａがログイン時に入力したユーザＩＤが「ｓａｔｏ」である場合、アクセス制御部５は、図９に示す通話者データから電話番号「０００１」を取得する。
【０１１０】
アクセス制御部５は、例えば、通話状態データから取得した電話番号を含むエントリを探し、そのエントリの状態を取得する（ステップＳ３３）。例えば、取得した電話番号「０００１」である場合、図８に示す通話状態データから通話状態として「通話中」を取得する。
【０１１１】
このように、ログイン時のユーザＩＤに対応する電話番号の通話端末による通話が「通話中」の場合（ステップＳ３４ａでｙｅｓ）、アクセス制御部５は、通話状態データからその通話における相手の電話番号を取得する（ステップＳ３５）。例えば、アクセス制御部５は、図８に示す通話状態データから、相手の電話番号「０００２」を取得する。アクセス制御部５は、取得した双方の電話番号「０００１」、「０００２」で関連付けデータを検索する（ステップＳ３６）。通話者Ａと通話者Ｂとの通話の開始後に、通話者Ａが最初にファイル共有サーバにログインした時点では、通話者Ａと通話者Ｂとのファイル共有空間は、まだ生成されていないので、関連付けデータにも該当するエントリは存在しない。
【０１１２】
双方の電話番号を含むエントリが存在しない場合（ステップＳ３７でｙｅｓ）、共有空間生成部３がファイル共有空間をファイル共有サーバの記録部１７に生成する。アクセス制御部５は、生成されたファイル共有空間の共有空間ＩＤを取得する（ステップＳ３８）。
【０１１３】
ステップＳ３７において、もしも、すでに通話者Ａと通話者Ｂのファイル共有空間が生成されており、双方の電話番号を含むエントリが、関連付けデータに存在する場合（ステップＳ３７でｙｅｓ）、そのエントリの共有空間ＩＤ「ｓｈａｒｅ０００１」を取得する（ステップＳ３９）。
【０１１４】
アクセス制御部５は、通話者Ａによるデータ通信端末１５ａからのアクセスを、ステップＳ３８またはステップＳ３９で取得した共有空間ＩＤが示すファイル共有空間へリダイレクトする。すなわち、通話者Ａのデータ通信端末１５ａに対して、共有空間ＩＤの位置を示すＵＲＬを送信する。これにより、通話者Ａのデータ通信端末１５ａは、ＵＲＬが示すファイル共有空間内のデータを得ることができる。
【０１１５】
ステップＳ３４ａにおいて、もしも、アクセス制御部５が取得した通話状態が「切断」であった場合（ステップＳ３４ａでｎｏ）、アクセス制御部５は、そのエントリから切断時刻を取得して、切断後一定時間経過しているか否かを判断する（ステップＳ３４ｂ）。切断後一定時間経過していない場合（ステップＳ３４ｂでｙｅｓ）は、上記のようにステップＳ３５以降の処理が行われる。
【０１１６】
切断後一定時間経過している場合（ステップＳ３４ｂでｎｏ）、アクセス制御部５は、ファイル共有サーバ８へのアクセスを許可しない旨のエラーメッセージをデータ通信端末１５ａへ返す。また、エントリが存在しない場合も、同様にエラーメッセージがデータ通信端末１５ａへ返される。
【０１１７】
図１１に示す処理により、通話中または通話切断後一定時間内に、いずれか一方の通話者がファイル共有サーバ８へログインした時にファイル共有空間が生成される。ログインした通話者は、そのアクセスがファイル共有空間へリダイレクトされるので、ファイル共有空間へアクセスすることができる。その後、他方の通話者が、通話中または通話切断後一定時間内にログインすることにより、ファイル共有サーバ８へアクセスした場合も、そのアクセスはファイル共有空間へリダイレクトされるので、ファイル共有空間へアクセスすることができる。
【０１１８】
（実施の形態３）
本実施形態は、図１に示すファイル共有システム１における通話状態監視部２の処理の変形例である。
【０１１９】
図１２は、本実施形態における通話状態監視部２が監視する通話状態に基づいて、共有空間が生成または削除される処理の例を示すフローチャートである。図１２に示す処理において、図３に示す処理と同じステップには、同じ番号を付し、説明を省略する。
【０１２０】
図１２に示す処理は、ステップＳ２ａにおいて図３に示す処理と異なる。図３に示す処理では、通話状態監視部２が通話確立の通知を受けた場合にステップＳ３〜７の処理を行っていたが、図１２に示す処理では、通話状態監視部２が、通話端末から発信されたＰＢ（Ｐｕｓｈ  Ｂｕｔｔｏｎ）音の通知を受信した時に、ステップＳ３〜７の処理を行う。
【０１２１】
ＰＢ音とは、通話者が、通話中に通話端末を操作することによって送信する信号の一種である。例えば、通話者が通話中に電話機のボタンを押すことで発信される。ＰＢ音は、ＰＢ信号またはトーン信号と呼ばれることもある。
【０１２２】
なお、図１２に示す例では、通話状態監視部２が、ＰＢ音の通知を受けた際に、通話者の電話番号も受け取ることを前提としていが、ＰＢ音の通知を受けると同時に電話番号を受け取らなくても、後から取得してもよい。例えば、通話状態監視部２は、ＰＢ音の通知を受け取るときに、どの通話でＰＢ音を受けたのかを示す通話識別子をまず受け取る。その後、通話状態監視部２は、受け取った通話識別子を使って、交換機７の内部に記録されたデータから通話識別子が示す通話における通話者の電話番号を取得することができる。
【０１２３】
図１２に示す処理により、通話者が通話端末にＰＢ音で指定した場合に、ファイル共有空間の生成が行われる。すなわち、通話者が、ファイル共有空間の生成を指示する信号をＰＢ音により送信することができる。通話者がファイル共有空間の生成を必要としない場合は、ファイル共有空間が生成されない。
【０１２４】
なお、本実施形態においては、通話端末から送信されるＰＢ音の通知を通話状態監視部２が受けた場合に、ファイル共有空間が生成される処理を例示したが、ＰＢ音の替わりに、例えば、通話者の特定の音声が認識されたことの通知を受けた場合に、ファイル共有空間が生成される処理も同様に同様に行うことができる。
【０１２５】
（実施の形態４）
本実施形態は、図１に示すファイル共有システム１における通話状態監視部２の処理の変形例である。
【０１２６】
図１３は、本実施形態における通話状態監視部２が監視する通話状態に基づいて、共有空間が生成または削除される処理の例を示すフローチャートである。図１３に示す処理において、図３に示す処理と同じステップには、同じ番号を付し、説明を省略する。
【０１２７】
図１３に示す処理は、ステップＳ２とステップＳ３の間に、ステップＳ１４の処理が行われる点で、図３に示す処理と異なる。図１２に示す処理では、通話状態監視部２が、通話確立の通知を受信した場合（ステップＳ２でｙｅｓ）、受信した電話番号の前または後ろに特番が含まれているか否かを判断する（ステップＳ１４）。
【０１２８】
特番は、特定用途の識別番号であり、例えば、通話者が発信する際に通話端末を操作することによって送信される。通話者は、相手先の電話番号「０００１」に電話をかける際に、特番として、例えば「１９９」を付加して、「１９９０００１」の番号を通信端末に入力して発信する。例えば、「１９９」を電話番号に付加して発信された場合に、ファイル共有空間が作成されることが予め電話網１１における通話のルールとして決められる。すなわち、例えば、「１９９」をファイル共有空間作成用特番とすることができる。
【０１２９】
また、通話者が特番「１９９」で一度発信し、特番に対応するサービスに着信した後、相手先の電話番号「０００１」を入力する場合もある。
【０１３０】
図１３に示す処理においても、特番が含まれている場合（ステップＳ１４でｙｅｓ）に、ステップＳ３〜７の処理が行われる。そのため、通話者が特番を入力した場合に、ファイル共有空間の生成が行われる。すなわち、通話者は、ファイル共有空間の生成の指示を、特番により送信することができる。
【０１３１】
（実施の形態５）
図１４は、本実施形態における通話状態監視部２が通話状態を監視し、通話状態に応じてファイル共有空間の生成、ファイル共有空間へのアクセス禁止またはアクセス許可が行われる処理の例を示すフローチャートである。図１４において、図３と同様のステップには同じ番号を付し、その説明を省略する。
【０１３２】
図１４に示す処理においては、通話状態監視部２が通話確立通知を受信した場合（ステップＳ２でｙｅｓ）、共有空間生成部３は、ファイル共有空間の生成またはファイル共有空間へのアクセス許可を行う（ステップＳ１５）。
【０１３３】
また、通話状態監視部２が、通話切断通知を受信した場合（ステップＳ８でｙｅｓ）、アクセス制御部５は、ファイル共有空間へのアクセス禁止処理を行う（ステップＳ１６）。
【０１３４】
図１５（ａ）は、本実施形態におけるファイル共有空間生成またはアクセス許可処理（図１４のステップＳ１５）の例を示すフローチャートである。図１５（ｂ）は、本実施形態におけるファイル共有空間アクセス禁止処理の例を示すフローチャートである。図１５（ａ）、（ｂ）において、図４（ａ）、（ｂ）に示す処理と同じステップには、同じ番号を付し、説明を省略する。
【０１３５】
図１５（ａ）に示す共有空間生成処理では、確立した通話における双方の通話者の電話番号を含むエントリが、関連付けデータに存在する場合（ステップＳ７０２でｙｅｓ）に、共有空間生成部３は、そのエントリの共有空間ＩＤを取得する。共有空間生成部３は、アクセス制御部５へ、共有空間ＩＤが示すファイル共有空間へ双方の通話者がアクセスできるように設定する要求を出す（ステップＳ７０５）。例えば、アクセス制御部５は、取得した共有空間ＩＤが示すファイル共有空間へのデータ通信端末１５ａ、１５ｂからのアクセスが可能になるようにファイル共有サーバ８の機能を設定する（ステップＳ７０５）。
【０１３６】
図１５（ｂ）に示す共有空間アクセス禁止処理では、ファイル空間の削除（図４（ｂ）のＳ１２０５）は行われない。その替わりに、アクセス制御部５は、ファイル共有空間へのデータ通信端末１５ａ、１５ｂからのアクセスが不可能になるようにファイル共有サーバ８の機能を設定する（ステップＳ１２０６）。
【０１３７】
例えば、アクセス制御部５は、ファイル共有サーバ８が備えるＷｅｂサーバの機能に含まれる既存のアクセス制御機構を使ってＩＰアドレスによるアクセス制御を行うことができる。前記アクセス制御機構は、例えば、ファイル共有サーバ８に記録されたファイル共有空間へのアクセスの許可または拒否を示すアクセス制御データを備える。アクセス制御部５は、アクセス制御データを更新することで、アクセス制御を行うことができる。
【０１３８】
図１６は、アクセス制御データを構成するテーブルの例を示す図である。図１６に示すテーブルには、ファイル共有空間を識別する共有空間ＩＤと、アクセスの許可または拒否を示すアクセス許可／拒否情報とが対になって記録されている。最も簡単な例として、アクセス制御部５は、それぞれのファイル共有空間について、全てのＩＰアドレスからファイル共有空間へのアクセスを許可または拒否するという設定を行うことができる。
【０１３９】
図１６に示す例では、共有空間ＩＤ＝“ｓｈａｒｅ０００１”のファイル共有空間に対して、全てのＩＰアドレスからのアクセスを許可する設定（ａｌｌｏｗ  ｆｒｏｍ  ａｌｌ）がされており、共有空間ＩＤ＝“ｓｈａｒｅ０００２”のファイル共有空間に対して、全てのＩＰアドレスからのアクセスを許可する設定（ｄｅｎｙ  ｆｒｏｍ  ａｌｌ）がされている。
【０１４０】
例えば、あるファイル共有空間についてアクセス制御部５が全てのＩＰアドレスからのアクセスを許可する設定にしたとしても、データ通信端末はその共有空間ＩＤを示す情報を取得しなければアクセスすることができない。そのため、全てのデータ通信端末からそのファイル共有空間へのアクセスが可能になるわけではない。すなわち、共有空間ＩＤを取得したデータ通信端末のみがそのファイル共有空間へアクセスできることになる。
【０１４１】
なお、アクセス制御データは、図１６に示す構成のテーブルに限られない。例えば、ファイル共有空間ごとに設けられたファイルであってもよい。
【０１４２】
図１５（ａ）および（ｂ）に示す処理により、ある通話について生成されたファイル共有空間は、その通話が切断されてもステップＳ１２０６においてアクセスが禁止されるだけなので削除されない。そのため、その通話について生成されたファイル共有空間は、その通話が切断されてもファイル共有サーバ８の記録部に保存される。
【０１４３】
その結果、再び、その通話と同じ通話者による通話が確立された場合、図１５（ａ）のステップＳ７０５において、その通話者によるアクセスが可能になる。すなわち、前回の通話で生成されたファイル共有空間の再利用が可能になる。
【０１４４】
（実施の形態６）
図１７は、本実施形態におけるファイル共有システムの構成の例を示す機能ブロック図である。図１７に示す構成おいて、図１に示す構成と同じ部分には、同じ番号を付し、説明を省略する。
【０１４５】
図１７に示すファイル共有システム１０は、閲覧部１２をさらに備える。閲覧部１２は、記録部９に記録された通話状態データまたは関連付けデータを参照することにより、ある通話者の過去の通話における相手の通話者に関するデータまたはファイル共有空間におけるデータを取得してデータ通信端末１５ａ、１５ｂへ送信する。閲覧部１２は、データ通信端末１５ａ、１５ｂからファイル共有サーバ８へアクセスがあった場合に上記処理を行う。
【０１４６】
本実施形態における通話状態監視部２が通話状態を監視する処理は、図１０に示す処理と同様である。
【０１４７】
本実施形態では、一例として、通話者Ａが、通話端末６ａによる通話が終わった後に、データ通信端末１５ａを用いて、ファイル共有サーバ８へログインする場合について説明する。
【０１４８】
図１８は、通話者Ａによる通話端末６ａからファイル共有サーバ８へのログインがあった場合の、ファイル共有システム１０のアクセス制御部５および閲覧部１２の処理の例を示すフローチャートである。図１８に示す処理において、図１１に示す処理と同じステップには同じ番号を付し説明を省略する。
【０１４９】
図１８において、ログインしたユーザが、通話中でない場合（ステップＳ３４ａでｎｏ）、閲覧部１２は、そのユーザの電話番号で、例えば、関連付けデータを検索する。ログインしたユーザの電話番号を含むエントリを関連付けデータから抽出し、抽出したエントリにおける共有空間ＩＤおよび相手の通話者の電話番号を取得する（ステップＳ４１）。これにより、ログインしたユーザが過去にファイル共有空間を共有した相手の電話番号が得られる。
【０１５０】
また、閲覧部１２は、取得した共有空間ＩＤが示すファイル共有空間へアクセスするためのＵＲＬ等の情報を記録部９から取得する。ファイル共有空間へアクセスするためのＵＲＬ等の情報は、例えば、共有空間生成部３がファイル共有空間を生成したときに、共有空間ＩＤに対応付けて記録部９に記録する。
【０１５１】
閲覧部１２は、取得した電話番号と、ファイル共有空間へアクセスするためのＵＲＬ等の情報をログインしたユーザのデータ通信端末１５ａへ送信する。これにより、データ通信端末１５ａでは、例えば、過去にファイル共有空間を共有した相手の電話番号一覧が、それぞれのファイル共有空間へのリンク付きで一覧表示される。
【０１５２】
また、通話者データとして、例えば、通話者の電話番号に対応した通話者の名前が記録されていてもよい。通話者の名前は、例えば、予め通話者Ａ、Ｂによりデータ通信端末１５ａ、１５ｂを通じて記録部９の通話者データに記録される。
【０１５３】
図１９（ａ）は、データ通信端末において、過去にファイル共有空間を共有した相手の電話番号一覧が表示された画面の一例を示す図である。図１９（ａ）に示す図では、電話番号と名前のリスト３１が表示されている。リスト３１中のそれぞれの電話番号または名前の部分には、ファイル共有空間へのリンクがはられている。そのため、例えば、電話番号の部分をクリックすると図１９（ｂ）に示す画面例のように、ファイル共有空間のデータを示す画面３２が表示される。
【０１５４】
以上、本発明の実施形態について説明したが、本発明は上記の実施形態に限られない。例えば、図１に示すファイル共有システム１は、公衆交換電話網を含む電話網１１およびインタネット１３に接続されるが、ファイル共有システムは、企業、学校などの構内電話網およびイントラネットに接続されてもよい。また、図１に示す通話端末６ａ、６ｂは説明を簡単にするため２台だけ示されているが、実際には多くの通話端末が電話網１１に接続されている。同様に多くのデータ通信端末がインタネット１３に接続されている。
【０１５５】
なお、本実施形態においては、電話網１１とインタネット網１３の双方に接続されたファイル共有システムについて説明したが、例えば、ＩＰ電話のように通話端末間の通話がインタネットで行われる場合、ファイル共有システムはインタネットのみに接続された構成となる。
【０１５６】
なお、本実施の形態においては、通話が２人の通話者によって行われる場合について説明したが、３人以上の通話者によって行われる場合についても本発明を適用することができる。
【０１５７】
以上の実施の形態に関し、更に以下の付記を開示する。
（付記１）
複数の通話端末間の通話を制御する通話制御装置に接続されたファイル共有システムであって、
前記通話制御装置から、通話端末間の通話を検出し、通話中の双方の通話者を特定するための情報を通話ごとに取得して、通話状態データとして記録部に記録する通話状態監視部と、
前記通話状態データで特定される双方の通話者が共有するためのファイル共有空間を、複数のデータ通信端末からアクセスされうる記録媒体上に生成し、生成した前記ファイル共有空間を識別する情報と、前記双方の通話者を特定する情報とを対応させて関連付けデータとして前記記録部へ記録する共有空間生成部と、
ファイル共有空間に対するデータ通信端末からのアクセスのうち、前記関連付けデータが示す当該ファイル共有空間に対応する双方の通話者によるデータ通信端末からのアクセスを可能にするアクセス制御部とを備えるファイル共有システム。
（付記２）
前記通話状態監視部は、通話端末間の通話の開始を検出することによって、通話中の通話者を識別する情報を通話ごとに取得して、通話状態データとして前記記録部に記録し、
前記共有空間生成部は、前記通話の開始が検出された時に、前記ファイル共有空間を生成する付記１に記載のファイル共有システム。
（付記３）
前記通話状態監視部は、通話中の通話端末から送信される信号であって、ファイル共有空間生成を指示する信号をさらに検出し、
前記共有空間生成部は、前記通話状態監視部が前記信号を検出した後に、前記ファイル共有空間を生成する付記１に記載のファイル共有システム。
（付記４）
前記ファイル共有空間が生成される記憶媒体は、予め決められたファイル共有サーバの記録部であり、
前記共有空間生成部は、データ通信端末からファイル共有サーバへアクセスがあった場合に、前記データ通信端末からユーザを特定するユーザ情報を取得し、当該ユーザ情報と前記通話状態データに記録された通話中の通話者を特定する情報とを比較して、前記ユーザと前記通話中の前記通話者が同じであると判断した場合に、ファイル共有空間を生成する付記１に記載のファイル共有システム。
（付記５）
前記通話状態監視部は、通話の終了をさらに検出し、
前記通話状態監視部が終了を検出した通話における通話者に対応するファイル共有空間を識別する情報を前記関連付けデータから取得し、前記検出の直後または一定時間経過後に、前記情報が示す前記ファイル共有空間を削除する共有空間削除部をさらに備える付記１に記載のファイル共有システム。
（付記６）
前記通話状態監視部は、通話の終了をさらに検出し、
前記アクセス制御部は、前記通話状態監視部が終了を検出した通話における通話者のファイル共有空間を識別する情報を前記関連付けデータから取得し、前記通話の終了直後または一定時間経過後から前記情報が示すファイル空間へのデータ通信端末からのアクセスを禁止する付記１に記載のファイル共有システム。
（付記７）
前記アクセス制御部は、データ通信端末からのアクセスを禁止したファイル共有空間について、前記関連付けデータにより前記ファイル共有空間に対応付けられた双方の通話者による通話が通話状態監視部で検出された場合、前記ファイル共有空間への双方の通話者によるデータ通信端末からのアクセスを許可する付記６に記載のファイル共有システム。
（付記８）
前記ファイル共有空間が生成される記憶媒体は、予め決められたファイル共有サーバの記録部であり、
データ通信端末から前記ファイル共有サーバへアクセスがあった場合に、前記データ通信端末からユーザを特定するユーザ情報を取得し、前記関連付けデータから前記ユーザの過去の通話における相手の通話者を特定するデータまたは過去の通話で生成されたファイル共有空間におけるデータを取得して、前記相手の通話者に関するデータまたは前記ファイル共有空間におけるデータを前記データ通信端末へ送信する閲覧部をさらに備える付記１に記載のファイル共有システム。
（付記９）
前記通話状態監視部は、複数の通話端末が接続された電話網に設けられた通話制御装置から、通話端末間の通話を検出し、通話中の双方の通話者を特定するための情報を通話ごとに取得して、通話状態データとして記録部に記録し、
前記共有空間生成部は、複数のデータ通信端末が接続されたデータ通信網に接続されたコンピュータ上の記憶媒体に前記ファイル共有空間を生成する付記１に記載のファイル共有システム。
（付記１０）
前記アクセス制御部は、前記関連付けデータにおいて当該ファイル共有空間に対応する双方の通話者を特定する情報が示す通話者のデータ通信端末へ、当該ファイル共有空間へアクセスするための情報を送信することによって、前記双方の通話者のデータ通信端末からのアクセスを可能にする付記１に記載のファイル共有システム。
（付記１１）
前記アクセス制御部は、データ通信端末からファイル共有空間へのアクセスがあった場合に、データ通信端末からユーザを特定するユーザ情報を取得し、当該ユーザ情報と前記関連付けデータにおいて当該ファイル共有空間に対応する双方の通話者を特定する情報とを比較して、双方の通話者のいずれか一方と、前記ユーザとが一致すると判断した場合に、前記データ通信端末からのアクセスを可能にする付記１に記載のファイル共有システム。
（付記１２）
複数の通話端末間の通話を制御する通話制御装置に接続されたコンピュータに処理を実行させるファイル共有プログラムであって、
前記通話制御装置から、通話端末間の通話を検出し、通話中の双方の通話者を特定するための情報を通話ごとに取得して、通話状態データとして前記コンピュータが備える記録部に記録する通話状態監視処理と、
前記通話状態データで特定される双方の通話者が共有するためのファイル共有空間を、複数のデータ通信端末からアクセスされうる記録媒体上に生成し、生成した前記ファイル共有空間を識別する情報と、前記双方の通話者を特定する情報とを対応させて関連付けデータとして前記記録部へ記録する共有空間生成処理と、
ファイル共有空間に対するデータ通信端末からのアクセスのうち、前記関連付けデータにおいて当該ファイル共有空間に対応する双方の通話者を特定する情報が示す通話者によるデータ通信端末からのアクセスを許可するアクセス制御処理とをコンピュータに実行させるファイル共有プログラム。
（付記１３）
複数の通話端末間の通話を制御する通話制御装置に接続されたコンピュータを用いて通話者間でのファイルの共有を可能にするファイル共有方法であって、
前記コンピュータが備える通話状態監視部が、前記通話制御装置から、通話端末間の通話を検出し、通話中の双方の通話者を特定するための情報を通話ごとに取得して、通話状態データとして前記コンピュータが備える記録部に記録する通話状態監視工程と、
前記コンピュータが備える共有空間生成部が、前記通話状態データで特定される双方の通話者が共有するためのファイル共有空間を、複数のデータ通信端末からアクセスされうる記録媒体上に生成し、生成した前記ファイル共有空間を識別する情報と、前記双方の通話者を特定する情報とを対応させて関連付けデータとして前記記録部へ記録する共有空間生成工程と、
前記コンピュータが備えるアクセス制御部が、ファイル共有空間に対するデータ通信端末からのアクセスのうち、前記関連付けデータにおいて当該ファイル共有空間に対応する双方の通話者を特定する情報が示す通話者によるデータ通信端末からのアクセスを許可するアクセス制御工程とを含むファイル共有方法。
【産業上の利用可能性】
【０１５８】
本発明は、電話網とデータ通信網に接続されたシステムであって、電話網を介した通話中の通話者が、通話の相手とデータ通信網を介してファイルを共有することを可能にするファイル共有システムとして利用可能である。
【図面の簡単な説明】
【０１５９】
【図１】ファイル共有システム１の構成の例を表す機能ブロック図である。
【図２】（ａ）は、通話状態データの例を示す図である。（ｂ）は、関連付けデータの例を示す図である。（ｃ）は、通話者データの例を示す図である。
【図３】通話状態監視部２が監視する通話状態に基づいて、共有空間が生成または削除される処理の例を示すフローチャートである。
【図４】（ａ）は、共有空間生成部３がファイル共有空間を生成する処理の例を示すフローチャートである。（ｂ）は、共有空間削除部４がファイル共有空間を削除する処理の例を示すフローチャートである。
【図５】アクセス制御部５がアクセス制御を行う処理の例を示すフローチャートである。
【図６】（ａ）は、データ通信端末１５ａにおいて表示される画面の一例を示す図である。（ｂ）は、内容表示エリアの表示を更新した場合に表示される画面の例を示す図である。
【図７】共有空間削除部４が、通話の切断から一定時間経過後にファイル共有空間を削除する処理の例を示すフローチャートである。
【図８】切断時刻が記録された場合の、通話状態データの例を示す図である。
【図９】通話者データの構造を示す図である。
【図１０】通話状態監視部２が監視する処理の例を示すフローチャートである。
【図１１】通話者からログインがあった場合の処理の例を示すフローチャートである。
【図１２】通話状態監視部２が通話状態を監視する処理の例を示すフローチャートである。
【図１３】通話状態監視部２が通話状態を監視する処理の例を示すフローチャートである。
【図１４】本実施形態における通話状態監視部２が通話状態を監視し、通話状態に応じてファイル共有空間の生成、ファイル共有空間へのアクセス禁止またはアクセス許可が行われる処理の例である。
【図１５】（ａ）は、本実施形態におけるファイル共有空間生成処理の例を示すフローチャートである。（ｂ）は、本実施形態におけるファイル共有空間削除処理の例を示すフローチャートである。
【図１６】アクセス制御データを構成するテーブルの例を示す図である。
【図１７】ファイル共有システムの構成の例を示す機能ブロック図である。
【図１８】通話者からログインがあった場合の、ファイル共有システム１０の処理の例を示すフローチャートである。
【図１９】（ａ）は、データ通信端末において、過去にファイル共有空間を共有した相手の電話番号一覧が表示された画面の一例を示す図である。（ｂ）は、ファイル共有空間のデータを表す画面の例を示す図である。
【符号の説明】
【０１６０】
１、１０        ファイル共有システム
２      通話状態監視部
３      共有空間生成部
４      共有空間削除部
５      アクセス制御部
６ａ、６ｂ      通話端末
７      交換機（通話制御装置、通話制御サーバ）
８      ファイル共有サーバ
９      記録部
１１    電話網
１２    閲覧部
１３    インタネット
１５ａ、１５ｂ  データ通信端末
１７    記録部
２１    ＵＲＬ入力エリア
２３    内容表示エリア
２５    タイトル入力エリア
２６    ファイル名入力エリア
２７    登録ボタン
３１    リスト
３２    画面
【図１】
0004641496.tif 000002
【図２】
0004641496.tif 000003
【図３】
0004641496.tif 000004
【図４】
0004641496.tif 000005
【図５】
0004641496.tif 000006
【図６】
0004641496.tif 000007
【図７】
0004641496.tif 000008
【図８】
0004641496.tif 000009
【図９】
0004641496.tif 000010
【図１０】
0004641496.tif 000011
【図１１】
0004641496.tif 000012
【図１２】
0004641496.tif 000013
【図１３】
0004641496.tif 000014
【図１４】
0004641496.tif 000015
【図１５】
0004641496.tif 000016
【図１６】
0004641496.tif 000017
【図１７】
0004641496.tif 000018
【図１８】
0004641496.tif 000019
【図１９】
0004641496.tif 000020